(57)【要約】【課題】汗が管楽器用ストラップに浸透することを抑制可能な管楽器用ストラップパッドを提供する。【解決手段】本体部と、取付部とを備え、演奏者が使用する管楽器用ストラップパッドであって、前記本体部は、前記管楽器用ストラップのうち前記演奏者の肌に触れる部分と同程度の大きさで長尺形状であり、前記管楽器用ストラップと前記演奏者の肌との間の位置に取り付けられるものであり、前記取付部は、前記本体部の両端に形成されてなり、前記取付部は、接合具をさらに備え、前記接合具は、前記管楽器用ストラップパッドを前記管楽器用ストラップに取り付けるものである。【選択図】図１
2020076936.tif 000002
【特許請求の範囲】
【請求項１】
本体部と、取付部とを備え、演奏者が使用する管楽器用ストラップパッドであって、
前記本体部は、前記管楽器用ストラップのうち前記演奏者の肌に触れる部分と同程度の大きさで長尺形状であり、前記管楽器用ストラップと前記演奏者の肌との間の位置に取り付けられるものであり、
前記取付部は、前記本体部の両端に形成されてなり、
前記取付部は、接合具をさらに備え、
前記接合具は、前記管楽器用ストラップパッドを前記管楽器用ストラップに取り付けるものである、管楽器用ストラップパッド。
【請求項２】
前記本体部は、内部に荷重分散効果のある緩衝材を含み、
前記荷重分散効果のある緩衝材は、演奏者の体にかかる荷重を吸収する緩衝材である、管楽器用ストラップパッド。
【請求項３】
前記本体部は、中心部になるに従い太くなっていく中太り形状である、請求項１又は２に記載の管楽器用ストラップパッド。
【請求項４】
前記本体部は、長辺の長さが１５ｃｍ以上５０ｃｍ以下であり、短辺の長さが３ｃｍ以上１０ｃｍ以下である、略長方形である、請求項１〜３のいずれかに記載の管楽器用ストラップパッド。
【請求項５】
前記本体部は、矩形である、請求項１又は２に記載の管楽器用ストラップパッド。
【請求項６】
前記本体部は、弓形である、請求項１又は２に記載の管楽器用ストラップパッド。
【発明の詳細な説明】
【技術分野】
【０００１】
本発明は、管楽器用ストラップパッドに関する。
【背景技術】
【０００２】
サックス、クラリネット、ファゴットなどの管楽器を、演奏中に演奏者の首から下げられたストラップにより支持することが知られている。
特開２００８−２６８７３７号公報（特許文献１）には、ストラップに取り付けられるベストを着脱可能に構成する技術が記載されている。
【０００３】
管楽器用ストラップは、演奏時に長時間、首にから下げて使用されており、演奏者の首との接触面に汗が発生する。そして、長時間使用するほど、管楽器用ストラップに蓄積した汗から雑菌が増殖し、悪臭を放つようになるという問題があった。
【先行技術文献】
【特許文献】
【０００４】
【特許文献１】特開２００８−２６８７３７号公報
【発明の概要】
【発明が解決しようとする課題】
【０００５】
特許文献１に記載されている技術では、演奏中において管楽器を所望の位置で固定できるようにして、演奏者が楽器を支える負荷を軽減可能な管楽器用ストラップを提供できる。
【０００６】
しかしながら、特許文献１に記載されている技術では、管楽器用ストラップと演奏者の首とが直接接触してしまうため、演奏者の首との接触面に汗が発生するという問題があった。
また、仮にタオルやハンカチを首に巻いた状態で管楽器を首から下げた場合には、見た目が良くないという問題があった。
本発明の目的は、汗が管楽器用ストラップに浸透することを抑制可能な管楽器用ストラップパッドを提供することである。
【課題を解決するための手段】
【０００７】
本願において開示される発明のうち、代表的なものの概要を簡単に説明すれば、次の通りである。
【０００８】
本発明の一実施の形態は、本体部と、取付部とを備え、演奏者が使用する管楽器用ストラップパッドであって、前記本体部は、前記管楽器用ストラップのうち前記演奏者の肌に触れる部分と同程度の大きさで長尺形状である。また、前記管楽器用ストラップと前記演奏者の肌との間の位置に取り付けられるものであり、前記取付部は、前記本体部の両端に形成されてなる。また、前記取付部は、接合具をさらに備え、前記接合具は、前記管楽器用ストラップパッドを前記管楽器用ストラップに取り付けるものである。
【発明の効果】
【０００９】
本発明の管楽器用ストラップパッドは、汗が管楽器用ストラップに浸透することを抑制することができるものである。
【図面の簡単な説明】
【００１０】
【図１】本発明の実施の形態１における管楽器用ストラップパッドの概要を示す平面図である。
【図２】本発明の実施の形態１における管楽器用ストラップパッドが管楽器用ストラップに取り付けられた状態を示す説明図である。
【図３】本発明の実施の形態１における管楽器用ストラップパッドの使用方法を説明するための説明図である。
【図４】本発明の実施の形態１における管楽器用ストラップパッドの使用方法を説明するための他の説明図である。
【図５】本発明の実施の形態２における管楽器用ストラップパッドの概要を示す平面図である。
【図６】本発明の実施の形態２における管楽器用ストラップパッドが管楽器用ストラップに取り付けられた状態を示す説明図である。
【図７】本発明の実施の形態３における管楽器用ストラップパッドの概要を示す平面図である。
【図８】本発明の実施の形態３における管楽器用ストラップパッドの使用方法を説明するための説明図である。
【発明を実施するための形態】
【００１１】
以下、本発明の実施の形態を図面に基づいて詳細に説明する。なお、実施の形態を説明するための全図において、同一部には原則として同一の符号を付し、その繰り返しの説明は省略する。
［実施の形態１］
【００１２】
管楽器用ストラップパッド１は、ダブルガーゼなどの汗を吸いやすい綿素材でキルト芯を挟むことで形成されている。管楽器用ストラップパッド１は、両端に二か所ずつスナップボタン２１を設けており、スナップボタン２１を留めることで既存のストラップに巻き付けて使用される。以下、本発明の実施の形態１を図１〜図４を用いて説明する。
【００１３】
図１は、本発明の実施の形態１における管楽器用ストラップパッド１の概要を示す平面図である。図２は、本発明の実施の形態１における管楽器用ストラップパッド１が管楽器用ストラップ２に取り付けられた状態を示す説明図である。図３は、本発明の実施の形態１における管楽器用ストラップパッド１の使用方法を説明するための説明図である。図４は、本発明の実施の形態１における管楽器用ストラップパッド１の使用方法を説明するための他の説明図である。
【００１４】
図１に示されるように、管楽器用ストラップパッド１は、中央に位置する所定面積からなる、長尺状で且つ略三角形状の本体部１１と、本体部１１の左右両側から外方向（放射方向または法線方向）に左右対称に突設した２つの取付部１２と、一対のスナップボタン２１とを有し、線対称に形成されている。
【００１５】
管楽器用ストラップパッド１の少なくとも本体部１１は、キルト芯（中綿）を、洗濯可能で汗を吸いやすいダブルガーゼなどの綿素材で挟み込むことで形成されている。綿素材は、演奏者の体にかかる荷重を吸収する緩衝材を示す。
【００１６】
なお、管楽器用ストラップパッド１をタオル地のようなパイル地で形成しても良い。また、管楽器用ストラップパッド１を複数毎の木綿で形成しても良いし、単一材料の使用のみでなく、複数の材料を複合化させて形成しても良い。さらに、リバーシブルでの使用が可能に形成しても良い。
【００１７】
図２に示されるように、管楽器用ストラップパッド１は、２つの取付部１２を利用することで、管楽器用ストラップ２に取り付けることができる。取付部１２は、管楽器用ストラップ２に巻き付き、さらにスナップボタン２１を留めることにより、管楽器用ストラップパッド１を管楽器用ストラップ２に取り付けるものである。
【００１８】
なお、管楽器用ストラップ２は、ストラップ本体３１と、紐状体３２と、紐留め具３３からなるものである。ストラップ本体３１は、管楽器用ストラップ２のユーザＵと接触して、管楽器用ストラップ２及び管楽器全体を安定させる役割を有する。紐状体３２は、ストラップ本体３１と、管楽器とを連結させる役割を有する。紐留め具３３は、紐状体３２を紐留め具３３が有する穴に通すなどにより、紐状体３２の長さを調節したり、紐状体３２を複数の部位を固定する役割を有する。
【００１９】
図３に示されるように、管楽器用ストラップ２に管楽器用ストラップパッド１を取り付けてユーザＵが使用すると、管楽器用ストラップ２のストラップ本体３１と、ユーザＵの肌との間に管楽器用ストラップパッド１の本体部１１が位置して、管楽器用ストラップ２とユーザＵの肌が接触することを抑制している。さらに、管楽器用ストラップパッド１の本体部１１は、ダブルガーゼなどの汗を吸いやすい綿素材で構成されているため、管楽器用ストラップ２がユーザＵの汗を吸うことをも抑制している。
【００２０】
また、図３に示されるように、管楽器用ストラップ２に管楽器用ストラップパッド１を取り付けてユーザＵが使用すると、他者がユーザＵを背面から見る場合に、管楽器用ストラップパッド１は、管楽器用ストラップ２にそのほとんどが隠れて見えにくくなっており、管楽器用ストラップパッド１は使用時のユーザＵの見た目を損ないにくい構成となっている。
【００２１】
図４に示されるように、管楽器用ストラップ２に管楽器用ストラップパッド１を取り付けてユーザＵが使用すると、ユーザＵを正面から見る他者からは、管楽器用ストラップパッド１が見えにくくなっており、管楽器用ストラップパッド１は使用時のユーザＵの見た目を損ないにくい構成となっている。
【００２２】
図４においては、正面から他者が見る場合に、取付部１２は見えているが、その大きさがあまり大きくないため、ユーザＵの見た目はあまり損なわない。同様に、正面から他者が見た場合に、本体部１１はその一部が見えているが、その大部分は管楽器用ストラップ２の影に隠れて見えないため、ユーザＵの見た目はあまり損なわない。
【００２３】
なお、図３に示す管楽器用ストラップ２は、ストラップ本体３１が長尺状の略三角形状をしており、主にサックスなどに使用されるストラップの形状を表している。ストラップ本体３１が、長尺状の略三角形状であることで、演奏者の首にかかる負荷を分散可能となっている。実施の形態１の管楽器用ストラップパッド１は、本体部１１が長尺状の略三角形状をしており、サックス用のストラップの形状に類似しているため、特に、演奏者の首にかかる負荷を分散可能に構成されているサックス用のストラップに好適である。
【００２４】
＜実施の形態１の効果＞
以上説明した本実施の形態における管楽器用ストラップパッド１は、汗が管楽器用ストラップに浸透することを抑制することができる。さらに、本実施の形態における管楽器用ストラップパッド１は、他者が管楽器用ストラップパッド１を用いて管楽器用ストラップ２を装着しているユーザＵを見る場合に、管楽器用ストラップパッド１があまり見えないため、管楽器用ストラップパッド１は使用時のユーザＵの見た目を損ないにくいものである。
【００２５】
すなわち、実施の形態１の管楽器用ストラップパッド１は、管楽器用ストラップパッド１の使用時に他者からの見える面積を最小化しつつ、管楽器用ストラップ２がユーザＵの汗を吸うことを抑制するという２つの効果を両立している。
［実施の形態２］
【００２６】
実施の形態２の管楽器用ストラップパッド１は、実施の形態１と同様に、ダブルガーゼなどの汗を吸いやすい綿素材でキルト芯を挟むことで形成されている。管楽器用ストラップパッド１は、両端に二か所ずつスナップボタン２１を設けており、スナップボタン２１を留めることで既存のストラップに巻き付けて使用される。以下、本発明の実施の形態２を図５及び図６を用いて説明する。
【００２７】
図５は、本発明の実施の形態２における管楽器用ストラップパッド１の概要を示す平面図である。図６は、本発明の実施の形態２における管楽器用ストラップパッド１が管楽器用ストラップ２に取り付けられた状態を示す説明図である。
【００２８】
図５に示されるように、管楽器用ストラップパッド１は、中央に位置する所定面積からなる、長尺状で且つ略長方形状の本体部１１と、本体部１１の左右両側から外方向（放射方向または法線方向）に左右対称に突設した２つの取付部１２と、一対のスナップボタン２１とを有し、線対称に形成されている。
【００２９】
図６に示されるように、管楽器用ストラップパッド１は、２つの取付部１２を利用することで、管楽器用ストラップ２に取り付けることができる。取付部１２は、管楽器用ストラップ２に巻き付き、さらにスナップボタン２１を留めることにより、管楽器用ストラップパッド１を管楽器用ストラップ２に取り付けるものである。
【００３０】
図６において、管楽器用ストラップ２は、ストラップ本体３１が長尺状の略長方形状をしており、主にクラリネットなどの比較的小型の管楽器に使用されるストラップの形状を表している。本実施の形態の管楽器用ストラップパッド１は、本体部１１が長尺状の略長方形状をしており、小型管楽器用ストラップの形状に類似していることから小型管楽器用ストラップに好適であり、クラリネット用ストラップの形状に類似していることから、特にクラリネット用ストラップに好適である。
管楽器用ストラップパッド１及び管楽器用ストラップ２のその他の構成は、実施の形態１と同様のものとすることができるため、説明を省略する。
＜実施の形態２の効果＞
【００３１】
以上のように、本実施の形態２によれば、実施の形態１と異なる効果として、管楽器用ストラップパッド１の本体部１１の形状がクラリネットなどの比較的小型の管楽器に使用されるストラップのストラップ本体３１の形状と類似しているため、ストラップ本体３１とユーザＵの肌の接触面を漏れなくストラップパッド１の本体部１１がカバーすることができる。さらに、他者がストラップパッド１を使用してクラリネットなどの小型管楽器用ストラップ２を装着した時に、ストラップ２とストラップパッド１の大きさが近いため、他者からストラップパッド１が見える面積を最小限にとどめることができ、ストラップパッド１を使用しているユーザＵの見た目を損なうことを抑制できる。
【００３２】
すなわち、実施の形態２の管楽器用ストラップパッド１は、クラリネットなどの小型管楽器用ストラップ２の使用時に他者からの見える面積を最小化しつつ、クラリネットなどの小型管楽器用ストラップ２がユーザＵの汗を吸うことを抑制するという２つの効果を両立している。
［実施の形態３］
【００３３】
実施の形態３の管楽器用ストラップパッド１は、実施の形態１と同様に、ダブルガーゼなどの汗を吸いやすい綿素材でキルト芯を挟むことで形成されている。管楽器用ストラップパッド１は、両端に二か所ずつスナップボタン２１を設けており、スナップボタン２１を留めることで既存のストラップに巻き付けて使用される。以下、本発明の実施の形態３を図７及び図８を用いて説明する。
【００３４】
図７は、本発明の実施の形態３における管楽器用ストラップパッド１の概要を示す平面図である。図８は、本発明の実施の形態３における管楽器用ストラップパッド１が管楽器用ストラップ２に取り付けられた状態を示す説明図である。
【００３５】
図７に示されるように、管楽器用ストラップパッド１は、中央に位置する所定面積からなる、長尺状で且つ略弓形状の本体部１１と、本体部１１の左右両側から外方向（放射方向または法線方向）に左右対称に突設した２つの取付部１２と、二対のスナップボタン２１とを有し、線対称に形成されている。
【００３６】
図８に示されるように、管楽器用ストラップパッド１は、２つの取付部１２を利用することで、管楽器用ストラップ２に取り付けることができる。取付部１２は、管楽器用ストラップ２に巻き付き、さらに一対のスナップボタン２１を留めることにより、管楽器用ストラップパッド１を管楽器用ストラップ２に取り付けるものである。
【００３７】
図８において、管楽器用ストラップ２は、ストラップ本体３１と、ストラップ背面部３５とが、結合部３４を介して結合されている。これは、主にファゴットなどの比較的大型の管楽器に使用されるストラップの形状を表している。本実施の形態の管楽器用ストラップパッド１は、本体部１１が長尺状の略弓形状をしており、大型管楽器用ストラップの形状に類似していることから、大型管楽器用ストラップの形状に類似していることから大型管楽器用ストラップに好適であり、ファゴット用ストラップの形状に類似していることから、特にファゴット用ストラップに好適である。
【００３８】
なお、ストラップ背面部３５に関しては、通常はユーザＵの肌とは直接接触する部位ではないため、ストラップ背面部３５とユーザＵの肌との接触を防ぐためのパッドは通常は不要である。
本体部１１は、長尺状の略弓形状であってもよく、矩形であってもよい。
管楽器用ストラップパッド１及び管楽器用ストラップ２のその他の構成は、実施の形態１と同様のものとすることができるため、説明を省略する。
＜実施の形態３の効果＞
【００３９】
以上のように、本実施の形態３によれば、実施の形態１と異なる効果として、管楽器用ストラップパッド１の本体部１１の形状がファゴットなどの比較的大型の管楽器に使用されるストラップのストラップ本体３１の形状と類似しているため、ストラップ本体３１とユーザＵの肌の接触面を漏れなくストラップパッド１の本体部１１がカバーすることができる。さらに、他者がストラップパッド１を使用してファゴットなどの大型管楽器用ストラップ２を装着した時に、ストラップ２とストラップパッド１の大きさが近いため、他者からストラップパッド１が見える面積を最小限にとどめることができ、ストラップパッド１を使用しているユーザＵの見た目を損なうことを抑制できる。
【００４０】
すなわち、実施の形態３の管楽器用ストラップパッド１は、ファゴットなどの大型管楽器用ストラップ２の使用時に他者からの見える面積を最小化しつつ、ファゴットなどの大型管楽器用ストラップ２がユーザＵの汗を吸うことを抑制するという２つの効果を両立している。
【００４１】
以上、本発明者によってなされた発明を実施の形態に基づき具体的に説明したが、本発明は前記実施の形態に限定されるものではなく、その要旨を逸脱しない範囲で種々変更可能であることはいうまでもない。
管楽器用ストラップパッドの本体部の形状は、使用する管楽器用ストラップの形状に合わせて適宜変更可能である。
本体部は、内部に荷重分散効果のある緩衝材を含むことが好ましい。なお、荷重分散効果のある緩衝材とは、演奏者の体にかかる荷重を吸収する緩衝材のことを示す。
【００４２】
本体部は、中心部になるに従い太くなっていく中太り形状であってもよい。本体部の中心部の太さが太くなることで、荷重をより広い範囲に分散し、使用するユーザが感じる重さを軽減することができるからです。
【００４３】
本体部の大きさは、長辺の長さが、例えば１０ｃｍ、１５ｃｍ、２０ｃｍ、２５ｃｍ、３０ｃｍ、４０ｃｍ、５０ｃｍなどであり、これらのいずれかの値の間であってもよく、好ましくは１５ｃｍ以上５０ｃｍ以下である。
【００４４】
本体部の大きさは、短辺の長さが、例えば１ｃｍ、２ｃｍ、３ｃｍ、４ｃｍ、５ｃｍ、６ｃｍ、７ｃｍ、８ｃｍ、９ｃｍ、１０ｃｍなどであり、これらのいずれかの値の間であってもよく、好ましくは３ｃｍ以上１０ｃｍ以下である。
【００４５】
本体部の大きさが小さすぎる場合には、ユーザの汗を吸う量が不十分となり、楽器の荷重の分散効果も不十分となる。一方、本体部の大きさが小さすぎる場合には、使用時に他者から見える面積が大きくなってしまうために使用時のユーザの見た目を損なう。
【００４６】
スナップボタンは、管楽器用ストラップパッドの取付部を管楽器用ストラップに巻き付けた後に、取付部の両端を接合することができる接合部であれば、特に制限されず、例えば、面ファスナーやその他の各種ボタンであってもよい。
【００４７】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【産業上の利用可能性】
【００４８】
本発明の管楽器用ストラップパッドは、管楽器用ストラップに利用することができる。
【符号の説明】
【００４９】
１    管楽器用ストラップパッド
１１  本体部
１２  取付部
２１  スナップボタン
３１  ストラップ本体
３２  紐状体
３３  紐留め具
３４  結合具
３５  ストラップ背面部
Ｕ    ユーザ
【図１】
2020076936.tif 000003
【図２】
2020076936.tif 000004
【図３】
2020076936.tif 000005
【図４】
2020076936.tif 000006
【図５】
2020076936.tif 000007
【図６】
2020076936.tif 000008
【図７】
2020076936.tif 000009
【図８】
2020076936.tif 000010
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
本体部と、取付部とを備え、演奏者が使用する管楽器用ストラップパッドであって、
前記本体部は、前記管楽器用ストラップのうち前記演奏者の肌に触れる部分と同程度の大きさで長尺形状であり、前記管楽器用ストラップと前記演奏者の肌との間の位置に取り付けられるものであり、
前記本体部は、内部に荷重分散効果のある緩衝材を含み、
前記本体部は、汗を吸いやすい綿素材で構成され、
前記本体部は、前記管楽器用ストラップに前記管楽器用ストラップパッドを取り付けてユーザが使用すると、前記管楽器用ストラップのストラップ本体と、前記ユーザの肌との間に位置し、前記管楽器用ストラップと前記ユーザの肌の接触を抑制し、
前記荷重分散効果のある緩衝材は、演奏者の体にかかる荷重を吸収する緩衝材であり、
前記取付部は、前記本体部の両端に形成されてなり、
前記取付部は、接合具をさらに備え、
前記接合具は、前記管楽器用ストラップパッドを前記管楽器用ストラップに取り付けるものであり、
前記管楽器用ストラップパッドは、両端に二か所ずつスナップボタンを設けており、
前記取付部は、前記管楽器用ストラップに巻き付き、さらに前記スナップボタンを留めることにより、前記管楽器用ストラップパッドを前記管楽器用ストラップに取り付けるものであり、
前記管楽器用ストラップパッドは、前記管楽器用ストラップパッドを取り付けて前記ユーザが使用すると、他者が前記ユーザを背面から見る場合に、前記管楽器用ストラップにそのほとんどが隠れて見えにくい構成となっている、
管楽器用ストラップパッド。
【請求項２】
前記本体部は、中心部になるに従い太くなっていく中太り形状である、請求項１に記載の管楽器用ストラップパッド。
【請求項３】
前記本体部は、長辺の長さが１５ｃｍ以上５０ｃｍ以下であり、短辺の長さが３ｃｍ以上１０ｃｍ以下である、略長方形である、請求項１又は２に記載の管楽器用ストラップパッド。
【請求項４】
前記本体部は、矩形である、請求項１に記載の管楽器用ストラップパッド。
【請求項５】
前記本体部は、弓形である、請求項１に記載の管楽器用ストラップパッド。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
本体部と、取付部とを備え、演奏者が使用する管楽器用ストラップパッドであって、
前記本体部は、演奏者の首にかけて使用される前記管楽器用ストラップのうち前記演奏者の肌に触れる部分と同程度の大きさで長尺形状であり、前記管楽器用ストラップと前記演奏者の首の裏側の肌との間の位置に取り付けられるものであり、
前記本体部は、内部に荷重分散効果のある緩衝材を含み、中心部になるに従い太くなっていく中太り形状であり、
前記本体部は、汗を吸いやすい綿素材で構成され、
前記本体部は、前記管楽器用ストラップに前記管楽器用ストラップパッドを取り付けてユーザが使用すると、前記管楽器用ストラップのストラップ本体と、前記ユーザの首の裏側の肌との間に位置し、前記管楽器用ストラップと前記ユーザの首の裏側の肌の接触を抑制し、
前記荷重分散効果のある緩衝材は、演奏者の体にかかる荷重を吸収する緩衝材であり、
前記取付部は、前記本体部の両端に形成されてなり、太さが前記管楽器用ストラップよりも細く形成され、
前記取付部は、接合具をさらに備え、
前記接合具は、前記管楽器用ストラップパッドを前記管楽器用ストラップに取り付けるものであり、
前記管楽器用ストラップパッドは、両端に一対ずつスナップボタンを設けており、
前記取付部は、前記管楽器用ストラップに巻き付き、さらに前記スナップボタンを留めることにより、前記管楽器用ストラップパッドを前記管楽器用ストラップに取り付けるものであり、
前記管楽器用ストラップパッドは、前記管楽器用ストラップパッドを取り付けて前記ユーザが使用すると、他者が前記ユーザを背面から見る場合に、前記管楽器用ストラップにそのほとんどが隠れて見えにくい構成となっており、前記ユーザを正面から見る他者からは、前記管楽器用ストラップパッドが見えにくくなっており、使用時の前記ユーザの見た目を損ないにくい構成となっている、管楽器用ストラップパッド。